(57)【要約】      （修正有）【課題】コンクリート下地材で囲まれた部屋などで、クランプで挟着可能な柱部材がなくても、高い位置での墨出しが可能なレーザ墨出し器用吊設具を提供する。【解決手段】一端５ｅ側がレーザ墨出し器８に一体化するか又は該レーザ墨出し器８を取付ける取着具２に接続一体化し、且つ少なくとも本体外面側に雌ねじ部が形成された接続用部材６を具備して、天井ＣＬからの吊りボルト９１又は天井梁に、雌ねじ部を用いて接続用部材６を取付け、該接続用部材６を介してレーザ墨出し器８が吊り下げられるようにした。【選択図】図２
0003182702.tif 000002
【実用新案登録請求の範囲】
【請求項１】
レーザ墨出し器(8)に一体化するか又は該レーザ墨出し器(8)を取付ける取着具(2)に接続一体化し、且つ少なくとも本体外面(61)側に雌ねじ部(65)が形成された接続用部材(6)を具備して、
天井からの吊りボルト(91)又は天井梁(92)に、前記雌ねじ部(65)を用いて接続用部材(6)を取付け、該接続用部材(6)を介してレーザ墨出し器(8)が吊り下げられるようにしたことを特徴とするレーザ墨出し器用吊設具。
【請求項２】
一端(5e)側がレーザ墨出し器(8)に一体化するか又は該レーザ墨出し器(8)を取付ける取着具(2)に接続一体化し、他端側に向けて突出する軸部材(5)をさらに具備し、該軸部材(5)の他端部(5f)に前記接続用部材(6)が連結される請求項１記載のレーザ墨出し器用吊設具。
【請求項３】
前記軸部材(5)の他端部(5f)に雄ねじ部(55)が設けられ、且つ該雄ねじ部(55)に螺合する前記雌ねじ部(65)が前記接続用部材(6)の本体に貫通形成されて、該雌ねじ部(65)の下半部と前記雄ねじ部(55)が螺着し、該軸部材(5)の他端部(5f)に該接続用部材(6)が連結される請求項２記載のレーザ墨出し器用吊設具。
【請求項４】
前記吊りボルト(91)に前記接続用部材(6)を取付けて、吊設状態となる前記取着具(2)の主要部(3)で、水平に配される下板部分(31)に通孔(31a)を形成し、該下板部分(31)の下方からボルト(BT)を該通孔(31a)に挿通し、さらにレーザ墨出し器(8)の底部に設けられた雌ねじ部分(85)へ螺合させて、該レーザ墨出し器(8)を該下板部分(31)に載置して取着具(2)へ取付け固定できるようにした請求項１乃至３のいずれか一項に記載のレーザ墨出し器用吊設具。
【請求項５】
前記吊りボルト(91)に前記接続用部材(6)を取付けて、吊設状態となる前記取着具(2)の主要部(3)が、前記下板部分(31)を有する側面視コ字形の帯板状主部(3a)と、該主部(3a)の上板部分(33)上に起立する帯板状の垂直板部分(35)と該垂直板部分(35)の板面から水平横方向に張り出す板状の水平板部分(37)を備える上方部(3b)と、を具備し、且つ該水平板部分(37)に透孔(37a)を設けて、
該透孔(37a)に前記軸部材(5)の一端(5e)側を挿通させると共に、その挿通部分(5g)が主要部(3)と係合させた前記取着具(2)の止具(4)で係止されることにより、該軸部材(5)の一端側が該取着具(2)に一体化されるようにした請求項４記載のレーザ墨出し器用吊設具。
【請求項６】
前記吊りボルト(91)に前記接続用部材(6)を取付けて、吊設状態となる前記取着具(2)の主要部(3)が、側面視コ字形フレームの前記主部(3a)と、該主部(3a)の上板部分(33)の端縁(331)から上方に屈曲させて前記垂直板部分(35)を延在させ、さらに該垂直板部分(35)の上端(351)で前記主部(3a)の上板部分(33)側へ屈曲させて前記水平板部分(37)を延在させたプレス加工品からなる請求項５記載のレーザ墨出し器用吊設具。
【請求項７】
前記吊りボルト(91)に前記接続用部材(6)を取付けて、吊設状態となる前記取着具(2)の主要部(3)が枠状体の形状をなし、その主要部(3)の天板部分(34)に貫通孔(34a)が形成され、且つ前記軸部材(5)の一端(5e)側の雄ねじ部分(51)が、該貫通孔(34a)を貫通し、さらに該雄ねじ部分(51)に螺合する止具(4)たるナット(4a,4b)で該主要部(3)に接続一体化する請求項４記載のレーザ墨出し器用吊設具。
【考案の詳細な説明】
【技術分野】
【０００１】
本考案は、ビル建屋工事等で水平又は垂直に墨出しを行う場合などで用いられるレーザ墨出し器用吊設具に関する。
【背景技術】
【０００２】
オフィスや店舗のビル建屋工事等では、コンクリート下地材のビル躯体が形成された後、その下地材に囲まれた各部屋で、水平又は垂直に墨出しを行って、天井や間仕切り壁が取付けられていく。このとき、床面から多少の高さであれば、三脚にレーザ墨出し器を取着して墨出しを行うことができるが、高い位置での墨出し作業の場合は対応不能になる。
こうしたことから、高い位置にレーザ墨出し器を取付け設置できるようにしたホルダーの発明が提案されている（例えば特許文献１）。
【先行技術文献】
【特許文献】
【０００３】
【特許文献１】特開２００４−３４７５１８号公報
【０００４】
特許文献１は「レーザー墨出し器を梁や支柱等に係止、固定するホルダーであって、柱部材を挟持する溝型断面になるクランプと、レーザー墨出し器を保持するとともに該クランプの本体基部の背面に回転可能に連結するベース部材からなることを特徴とするレーザー墨出し器のホルダー」の発明を提供する。
【考案の開示】
【考案が解決しようとする課題】
【０００５】
しかるに、特許文献１の発明は以下のような問題があった。クランプで柱部材等を挟持する構成であるので、例えば、柱部材の出っ張りのないコンクリート下地材で囲まれた部屋空間では、レーザー墨出し器のホルダーを設置できなかった。天井や壁に、梁や支柱が露出しないコンクリート下地材で囲まれた部屋などでは、クランプで挟持できる箇所がそもそもないため、レーザー墨出し器のホルダーが役立たなかった。
【０００６】
本考案は上記問題点を解決するもので、コンクリート下地材で囲まれた部屋などで、クランプで挟着可能な柱部材がなくても、高い位置での墨出しが可能なレーザ墨出し器用吊設具を提供することを目的とする。
【課題を解決するための手段】
【０００７】
上記目的を達成すべく、請求項１に記載の考案の要旨は、レーザ墨出し器(8)に一体化するか又は該レーザ墨出し器(8)を取付ける取着具(2)に接続一体化し、且つ少なくとも本体外面(61)側に雌ねじ部(65)が形成された接続用部材(6)を具備して、天井からの吊りボルト(91)又は天井梁(92)に、前記雌ねじ部(65)を用いて接続用部材(6)を取付け、該接続用部材(6)を介してレーザ墨出し器(8)が吊り下げられるようにしたことを特徴とするレーザ墨出し器用吊設具にある。
請求項２の考案たるレーザ墨出し器用吊設具は、請求項１で、一端(5e)側がレーザ墨出し器(8)に一体化するか又は該レーザ墨出し器(8)を取付ける取着具(2)に接続一体化し、他端側に向けて突出する軸部材(5)をさらに具備し、該軸部材(5)の他端部(5f)に前記接続用部材(6)が連結されることを特徴とする。
請求項３の考案たるレーザ墨出し器用吊設具は、請求項２で、軸部材(5)の他端部(5f)に雄ねじ部(55)が設けられ、且つ該雄ねじ部(55)に螺合する前記雌ねじ部(65)が前記接続用部材(6)の本体に貫通形成されて、該雌ねじ部(65)の下半部と前記雄ねじ部(55)が螺着し、該軸部材(5)の他端部(5f)に該接続用部材(6)が連結されることを特徴とする。
請求項４の考案たるレーザ墨出し器用吊設具は、請求項１〜３で、吊りボルト(91)に前記接続用部材(6)を取付けて、吊設状態となる前記取着具(2)の主要部(3)で、水平に配される下板部分(31)に通孔(31a)を形成し、該下板部分(31)の下方からボルト(BT)を該通孔(31a)に挿通し、さらにレーザ墨出し器(8)の底部に設けられた雌ねじ部分(85)へ螺合させて、該レーザ墨出し器(8)を該下板部分(31)に載置して取着具(2)へ取付け固定できるようにしたことを特徴とする。
請求項５の考案たるレーザ墨出し器用吊設具は、請求項４で、吊りボルト(91)に前記接続用部材(6)を取付けて、吊設状態となる前記取着具(2)の主要部(3)が、前記下板部分(31)を有する側面視コ字形の帯板状主部(3a)と、該主部(3a)の上板部分(33)上に起立する帯板状の垂直板部分(35)と該垂直板部分(35)の板面から水平横方向に張り出す板状の水平板部分(37)を備える上方部(3b)と、を具備し、且つ該水平板部分(37)に透孔(37a)を設けて、該透孔(37a)に前記軸部材(5)の一端(5e)側を挿通させると共に、その挿通部分(5g)が主要部(3)と係合させた前記取着具(2)の止具(4)で係止されることにより、該軸部材(5)の一端側が該取着具(2)に一体化されるようにしたことを特徴とする。
請求項６の考案たるレーザ墨出し器用吊設具は、請求項５で、吊りボルト(91)に前記接続用部材(6)を取付けて、吊設状態となる前記取着具(2)の主要部(3)が、側面視コ字形フレームの前記主部(3a)と、該主部(3a)の上板部分(33)の端縁(331)から上方に屈曲させて前記垂直板部分(35)を延在させ、さらに該垂直板部分(35)の上端(351)で前記主部(3a)の上板部分(33)側へ屈曲させて前記水平板部分(37)を延在させたプレス加工品からなることを特徴とする。
請求項７の考案たるレーザ墨出し器用吊設具は、請求項４で、吊りボルト(91)に前記接続用部材(6)を取付けて、吊設状態となる前記取着具(2)の主要部(3)が枠状体の形状をなし、その主要部(3)の天板部分(34)に貫通孔(34a)が形成され、且つ前記軸部材(5)の一端(5e)側の雄ねじ部分(51)が、該貫通孔(34a)を貫通し、さらに該雄ねじ部分(51)に螺合する止具(4)たるナット(4a,4b)で該主要部(3)に接続一体化することを特徴とする。
【考案の効果】
【０００８】
本考案のレーザ墨出し器用吊設具は、コンクリート下地材で囲まれた部屋などで、クランプで挟着可能な柱部材がなくても、吊りボルトや天井梁に取付け可能な雌ねじ部が本体外面側に形成された接続用部材を備える取着具を設けることによって、高い位置での墨出しが簡単にでき、作業性向上に優れた効果を発揮する。
【図面の簡単な説明】
【０００９】
【図１】実施形態１のレーザ墨出し器用吊設具で、その概略斜視図である。
【図２】図１の吊設具にレーザ墨出し器を取付けた後、吊りボルトに接続用部材を接続し、レーザ墨出し器用吊設具を吊り下げた概略斜視図である。
【図３】他態様のレーザ墨出し器の概略斜視図である。
【図４】実施形態２で、コストダウンタイプのレーザ墨出し器用吊設具の概略斜視図である。
【図５】図４の吊設具にレーザ墨出し器を取付けた後、吊りボルトに墨出し器付き吊設具を吊り下げた概略説明図である。
【図６】図４に代わる他態様の接続用部材を用いて、天井梁に接続用部材を接続し、該墨出し器付き吊設具を吊り下げた概略説明図である。
【図７】実施形態３で、主要部を枠体で形成したレーザ墨出し器用吊設具の斜視図である。
【図８】図７のレーザ墨出し器用吊設具にレーザ墨出し器を取付けた斜視図である。
【図９】実施形態４のレーザ墨出し器に接続用部材が軸部材を介して一体化するレーザ墨出し器用吊設具で、その斜視図である。
【図１０】図９に代わる他態様のレーザ墨出し器付き吊設具の斜視図である。
【図１１】実施形態５のレーザ墨出し器用吊設具の斜視図である。
【考案を実施するための形態】
【００１０】
以下、本考案に係るレーザ墨出し器用吊設具（以下、単に「吊設具」ともいう。）について詳述する。
（１）実施形態１
図１〜図３は本考案のレーザ墨出し器用吊設具の一形態で、図１はその概略斜視図、図２は図１の吊設具にレーザ墨出し器を取付け、さらにこれを天井のコンクリートスラブからの吊りボルトに接続用部材を接続し、該墨出し器を吊り下げた概略斜視図、図３は図１,図２に代わる他態様のレーザ墨出し器の概略斜視図を示す。
【００１１】
レーザ墨出し器用吊設具は、取着具２と軸部材５と接続用部材６とを具備する。
取着具２は、金属製主要部３と止具４とを備えて、主要部３にレーザ墨出し器８が着脱自在に取付けられるレーザ墨出し器用保持具とする。レーザ墨出し器８とは、レーザなどの光源からの光束を一方向にのみ拡散して、水平又は鉛直方向のライン光を照射対象面に照射する公知の墨出し器をいう。
本実施形態の主要部３は、略一定帯幅の金属製帯板材の加工品で、図１のごとく、レーザ墨出し器８を側面視コ字形の帯板状主部３ａで受け支える保持具になっている。符号ＷＤは溶接部分を示す。主要部３は、側面視コ字形の帯板状主部３ａと、該主部３ａの上板部分３３上に起立する帯板状の垂直板部分３５と該垂直板部分３５の板面から水平横方向に張り出す板状の水平板部分３７を備える上方部３ｂと、を具備し、且つ該水平板部分３７に透孔３７ａが設けられる。そして、透孔３７ａに軸部材５の一端５ｅ側を挿通させると共に、その挿通部分５ｇが主要部３と係合させた取着具２の構成部品たる止具４で係止されることにより、取着具２に軸部材５の一端５ｅ側が接続一体化されるようにしている。ここで、本発明でいう「上方部３ｂ」に係る「上方」とは、天井ＣＬからの吊りボルト９１又は天井梁９２に、雌ねじ部６５を用いて接続用部材６を取付け、軸部材５を介してレーザ墨出し器８が吊り下げられる使用状態下の吊設具１で、該吊設具の上方を指し、図２でいえば紙面上方を指す。「水平板部分３７」に係る「水平」方向は、上記軸部材５を介してレーザ墨出し器８が吊り下げられる使用状態下の吊設具１で、該吊設具の水平方向を指し、図６(後述）でいえば紙面左右横方向、及びこのラインを含む紙面垂直面方向を指す。
【００１２】
主要部３は、一定幅の帯板片を折曲し、図１,図２のごとく下板部分３１と立板部分３２と上板部分３３とで側面視コ字形の主部３ａを形成する。下板部分３１の長手方向ほぼ中央に、レーザ墨出し器８を螺着固定するための通孔３１ａを設ける。また、上板部分３３の中央よりもやや開放端縁寄りの上面に、主部３ａと同じ帯幅の帯板片からなる垂直板部分３５の基端を溶接固定させ、上方部３ｂに係る垂直板部分３５を上板部分３３に立設させる。ここで、垂直板部分３５と上板部分３３の両帯幅方向を合わせる。さらに垂直板部分３５の上縁で屈曲させて水平板部分３７を延設する。また、水平板片部分３９の基端を垂直板部分３５に溶接固定し、水平板部分３７の真下でこれと平行になるよう、該水平板片部分３９を配設する。水平板部分３７と水平板片部分３９には透孔３７ａ,３９ａがそれぞれ形成され、両透孔３７ａ,３９ａ及び前記通孔３１ａが略同一鉛直線上に配される。水平板部分３７と水平板片部分３９とをつなぐ垂直板部分３５の部位には雌ねじ孔３５ａが貫通形成される。
両透孔３７ａ,３９ａに軸部材５の一端５ｅ側を挿通させた後、水平板部分３７,水平板片部分３９とは反対側の垂直板部分３５の外方から、図１のごとく、止具４のねじ軸４１を雌ねじ孔３５ａに螺合させ、さらに止具４の握り部４０を回してねじ軸４１を進出させ、その先端を軸部材５の挿通部分５ｇに当接,押圧することによって係止し、止具４で、軸部材５の一端５ｅ側を主要部３(取着具２)に接続一体化する。
【００１３】
ところで、図１の止具４に代え、或いは図１の止具４に加え、透孔３７ａ,３９ａに軸部材５の一端５ｅ側を挿通させた軸部材５の先端部分に、止具４たるナット４ａ,４ｂを二つ螺合させ、図３のごとく両ナット４ａ,４ｂが水平板片部分３９(又は水平板部分３７)を挟着して、軸部材５の一端５ｅ側が主要部３(取着具２)に接続一体化される構成とすることもできる。また図３のごとく、下側ナット４ａだけにして、両透孔３７ａ,３９ａに軸部材５の一端５ｅ側を挿通させた軸部材５の先端部分に、止具４たるナット４ａを一つ螺着するだけでもよい。該ナット４ａがストッパになって取着具２に軸部材５が接続一体化し、該軸部材５が取着具２からナット４ａで抜け出せない状態を保ち、天井ＣＬからの吊りボルト９１又は天井梁９２に、接続用部材６を取付け、軸部材５を介してレーザ墨出し器８を吊り下げることができるからである。
【００１４】
軸部材５は、一端５ｅ側がレーザ墨出し器８に直接一体化するか又は該レーザ墨出し器８を取付ける取着具２に接続一体化し、他端側に向けて突出する軸状体である。本実施形態は、取着具２と別体構成で、ここでは、軸状体の全長に亘って雄ねじ部分が形成された棒状のねじ軸になっている。軸部材５の一端５ｅ側に設けた雄ねじ部分５１が前記取着具２の透孔３７ａ,３９ａに挿通後、垂直板部分３５の雌ねじ孔３５ａに螺合させた止具４のねじ軸４１を進出させて、そのねじ軸４１で軸部材５の一端５ｅ側を取着具２に係止固定し、図１のごとく取着具２に軸部材５が接続一体化される。取着具２に一体化した軸部材５のメイン部は、水平板部分３７の上面から垂直上方へ向け突出する。
【００１５】
接続用部材６は前記軸部材５の他端側に連結され、且つ少なくとも本体外面６１側に雌ねじ部６５が形成された金属製部品である。本実施形態は図１のごとく六角柱の上端外面から下端外面側へ向け雌ねじ部が貫通形成された角筒状体とする。前記軸部材５の他端部５ｆに雄ねじ部５５が設けられており、該雄ねじ部５５に螺合する雌ねじ部６５が接続用部材６の本体に貫通形成されることで、該雌ねじ部６５の下半部と前記雄ねじ部５５が螺着し、該軸部材５の他端部５ｆに該接続用部材６が連結される。接続用部材６の下半部の雌ねじ部を軸部材５の他端側雄ねじ部分５５に螺着結合させて、接続用部材６を軸部材５に連結する。この連結だけでもよいが、本実施形態は螺着結合後に両者をさらに溶接一体化させ、接続用部材６付き軸部材５としている。吊設具１の管理部品点数を減らすためである。符合６９は接続用部材６の高さ中間地点の角筒外面の設けた窪みを示す。該窪みの形成によって、雌ねじ部６５側に突起ができ、雌ねじ部６５の下半部としか軸部材５の雄ねじ部５５が螺着しないよう制限される。
そうして、接続用部材６の雌ねじ部６５の上半部は、天井ＣＬからの吊りボルト９１又は天井梁９２に、雌ねじ部６５を用いて接続用部材６を取付け、軸部材５を介してレーザ墨出し器８が吊り下げられる構成とする。図２は、天井ＣＬからの吊りボルト９１の下端部に、接続用部材６に係る上半部の雌ねじ部６５を螺合連結し、吊設具１の下板部分３１に取付け固定したレーザ墨出し器８が、軸部材５を介して吊り下げられた姿態を示す。
【００１６】
前記レーザ墨出し器８が取付固定された吊設具１を、吊りボルト９１に吊り下げられるようにする組付け手順,一使用方法を次に述べる。
まず、取着具２の下板部分３１にレーザ墨出し器８を載置する。脚８１が下板部分３１を跨ぐようにしてレーザ墨出し器８の底面側を下板部分３１に当接させる(図２、図６,図８参照)。尚、下板部分３１へのレーザ墨出し器８の載置で脚８１が下板部分３１を跨げるよう、下板部分３１の帯幅を約40mmとする。次いで、下板部分３１の下方側からボルトＢＴの軸部を通孔３１ａに挿通し、その軸部先端部分をレーザ墨出し器８の底面側に設けられた雌ねじ部分８５に螺着結合させ(図６参照)、下板部分３１にレーザ墨出し器８を取付け固定する。
これと相前後して、透孔３７ａに接続用部材６付き軸部材５の一端５ｅ側を挿通させると共に、その挿通部分５ｇを、主要部３と係合させた前記取着具２の止具４で係止する。かくして、接続用部材６付き軸部材５の一端５ｅ側が取着具２に一体化され、該取着具２にレーザ墨出し器８が取付けられたレーザ墨出し器８搭載の吊設具１が出来上がる。
【００１７】
後は、上端側に配される接続用部材６の雌ねじ部６５を、天井ＣＬからの吊りボルト９１下端の雄ねじ部に螺合接続させると、レーザ墨出し器８付き吊設具１が天井ＣＬから吊り下げられ、高い位置での墨出しが可能になる。コンクリート下地材で囲まれた部屋などで、クランプで挟着可能な柱部材がなくても、高い位置での墨出しができる。レーザ墨出し器８の高さ調整が必要な場合は、止具４を一端弛め、取着具２の主要部３を上下方向に調整し、その後、止具４を締めれば、レーザ墨出し器８を所定高さレベルに簡単に合わせることができる。レーザ墨出し器８のスイッチを入れれば、水平又は垂直ビーム口８８,８９から墨出し用ビームを発し、照射対象面たる壁面等に所望のビームラインが現れ、必要工事が円滑に行えるようになる。
【００１８】
尚、図１で軸部材５と接続用部材６は当初別体で、両者を螺着や溶接により連結したが、軸部材５を省くこともできる。斯かる場合、接続用部材６が、軸部材５を介することなく、レーザ墨出し器８に一体化するか又は取着具２に溶接等で接続一体化する(図示省略)。レーザ墨出し器８に一体化するか又は該レーザ墨出し器８を取付ける取着具２に接続一体化し、且つ少なくとも本体外面６１側に雌ねじ部６５が形成された接続用部材６を具備して、天井からの吊りボルト９１又は天井梁９２に、前記雌ねじ部６５を用いて接続用部材６を取付け、該接続用部材６を介してレーザ墨出し器８が吊り下げられる。接続用部材６とレーザ墨出し器８や取着具２とが近づきすぎ、多少使い難くなる。
そのため、軸部材５をなしにする場合は、図１の軸部材５の他端部に連結される接続用部材６に代え、当初から軸部材５付き接続用部材６の長さで双方が一体化する軸状接続用部材を、一部材から機械加工で作製するのが望ましい。
【００１９】
（２）実施形態２
図４〜図６は実施形態１の吊設具１を一歩前進させたコストダウン製品で、図４はその概略斜視図、図５は図４の吊設具１にレーザ墨出し器８を取付け、さらにこれを天井ＣＬのコンクリートスラブからの吊りボルト９１に接続用部材６を接続し、該墨出し器付き吊設具１を吊り下げた概略説明図、図６は図４,図５の接続用部材６に代わる他態様の接続用部材６を用いて、天井梁９２に接続用部材６を接続し、該墨出し器付き吊設具１を吊り下げた概略説明図である。
【００２０】
本実施形態の吊設具１は、一の帯状板からプレス加工によって作製できる主要部３とする。図１,図２の主要部３は、その構造から溶接部分を要して作業工数が増え、コスト高になる。ここでは、吊りボルト９１に接続用部材６を取付けて、吊設状態となる取着具２の主要部３が、溶接なしでできる図４のような構造とする。具体的には、主要部３が、通孔３１ａを形成した下板部分３１を有する側面視コ字形フレームの主部３ａと、該主部３ａの上板部分３３の端縁から上方に屈曲させて垂直板部分３５を延在させ、さらに該垂直板部分３５の上端で主部３ａの上板部分３３側へ屈曲させて水平板部分３７を延在させたプレス加工品になっている。
【００２１】
詳しくは、一枚の所定長さの帯状板から、曲げ加工と穴あけ加工によって、取着具２の主要部３をプレス成形する。実施形態１では主部３ａに別体の上方部３ｂを溶接固定したが、本実施形態は、主部３ａから上方部３ｂが延設する長さの帯状板を用い、溶接することなくプレス成形で主要部３を形成する。側面視コ字形の帯板状主部３ａの上端縁から垂直上方向に屈曲させて垂直板部分３５を形成し、且つ該垂直板部分３５の上端縁から主部３ａの上板部分３３側へ屈曲させて水平板部分３７を形成する。さらに水平板部分３７の先端縁で垂直下方向に屈曲させて下降板部分３８を形成する。使用状態下の吊設具１にあって、該下降板部分３８と前記垂直板部分３５は平行起立させる。実施形態１は垂直板部分３５に雌ねじ孔３５ａを設けたが、ここでは、下降板部分３８に雌ねじ孔３８ａを設ける。その他の構成は実施形態１と同様で、その説明を省く。実施形態１と同一符号は同一又は相当部分を示す。
【００２２】
取着具２への軸部材５の接続一体化は、例えば次のように行う。両透孔３７ａ,３９ａに軸部材５の一端５ｅ側を挿通させた後、図１のごとく下降板部分３８の外方から止具４のねじ軸４１を雌ねじ孔３８ａに螺合させ、さらに止具４の握り部４０を回してねじ軸４１を進出させ、その先端を軸部材５の挿通部分５ｇに当接,押圧させて係止し、止具４で、軸部材５の一端５ｅ側を主要部３(取着具２)に接続一体化する。
【００２３】
図５は吊設具１の一使用法を示す。建物の天井ＣＬのコンクリートスラブには吊りボルト９１が所定ピッチで複数本配設され、各吊りボルト９１にハンガーｈａが止めナットｔｎで挟むように取付けられている。該ハンガーｈａを利用してバー形状の野縁ｂａが格子枠状に配設され、この格子枠状の野縁ｂａに石膏ボードなどの化粧ボード,電気器具等が取付けられる。
例えば、化粧ボード(又は空調用ダクト等)の取付け工事にあたって、レーザ墨出し器８で水平基準を出す必要があり、そのため、レーザ墨出し器８を取付けた吊設具１を、一の吊りボルト９１に吊り下げる。手順は、まず軸部材５に接続用部材６が一体となった接続用部材６付き軸部材５を、取着具２に接続一体化する。これと相前後して、レーザ墨出し器８の底面側を下板部分３１に当接させ、通孔３１ａを利用して、ボルトＢＴで下板部分３１にレーザ墨出し器８を取付け固定する。次いで、レーザ墨出し器８を取付けた吊設具１に係る接続用部材６を、止めナットｔｎから下方に突き出す吊りボルト９１の下端部に螺合接続させ、軸部材５を介してレーザ墨出し器８を吊りボルト９１に吊り下げる。レーザ墨出し器８の高さ微調整は、実施形態１と同様、止具４を一旦弛めて、吊りボルト９１の上下方向の所定位置に吊設具１を合わせた後、止具４を再び締め付ける。レーザ墨出し器８を所望高さに設定できる。斯かる状態下、図５のごとく水平ビーム口８８からビームｂｍを発すれば、建物壁面等の照射対象面に水平基準をつくる所望のビームラインが現れ、化粧ボード等の取付け工事を円滑に行える。
尚、図５の吊設具１は、軸部材５の下端(一端５ｅ)側に螺着するストッパ併用止具４たるナット４ａを設け、接続用部材６付き軸部材５と取着具２との一体強化を図っている。
【００２４】
図６の吊設具１は、図４,図５の吊設具１に代わる他態様品で、接続用部材６が図４のごとくの側面視コ字形フックになっている。該フックは汎用品で、図６のごとくコ字形接続用部材６の下板部に係る本体外面６１側から内面側に貫通する雌ねじ部６５を形成する。天井梁９２にコ字形接続用部材６のコ字状部分を図示のごとく嵌めた後、雌ねじ部６５を用いて、これに螺合する軸部材５の他端(上端)側を上動させ、軸部材５の他端と接続用部材６の上顎部分６４とで天井梁９２を挟着し、接続用部材６を天井梁９２に接続固定させる。そうして、接続用部材６,軸部材５を介してレーザ墨出し器８付き吊設具１が吊り下げられるようにしている。
【００２５】
（３）実施形態３
図７、図８は主要部３を図示ごとくの枠体で形成した吊設具１で、図７はその斜視図、図８はレーザ墨出し器８を取付けた吊設具１の斜視図である。
主要部３は、帯板材の加工品で、実施形態１のコ字形主部３ａに係る下板部分３１と上板部分３３の両開放端を立板部分３２で接続固定した矩形枠状体になっている。前記上板部分３３に対応する天板部分３４には貫通孔３４ａが形成される。軸部材５は、一端５ｅ側がレーザ墨出し器８を取付ける取着具２に接続一体化し、他端側に向けて棒状に突出する軸状体である。また接続用部材６は、軸部材５の他端部５ｆに連結され、且つ少なくとも本体外面６１側に雌ねじ部６５が形成された金属製部品である。ここでの軸部材５,接続用部材６は実施形態１と同じである。
【００２６】
吊りボルト９１に接続用部材６を取付けて、吊設状態となる取着具２の主要部３が側面視矩形の枠状体の形状をなす。その主要部３の天板部分３４に貫通孔３４ａが形成され、且つ軸部材５の一端５ｅ側の雄ねじ部分５１を、該貫通孔３４ａに貫通させ、さらに該雄ねじ部分５１に螺合する止具４たるナット４ａ,４ｂで主要部３に接続一体化する。そして、天井ＣＬからの吊りボルト９１に、前記雌ねじ部６５を用いて接続用部材６を取付け、軸部材５を介してレーザ墨出し器８が吊り下げられるレーザ墨出し器８用吊設具１になっている。また、図６の接続要部材６に代えれば、天井梁９２に墨出し器８が吊り下げられる吊設具になっている。
図７の吊りボルト９１に接続用部材６を矢印方向に進めて螺合させ、吊設具１を吊設状態にした時、帯板材からなる下板部分３１は略水平に保たれる。略水平に配される該下板部分３１にレーザ墨出し器８を載置して取着具２へ取付け固定できる。
他の構成は実施形態１と同様で、その説明を省く。同一符号は同一又は相当部分を示す。
【００２７】
（４）実施形態４
図９、図１０はレーザ墨出し器８に軸部材５が直接一体化する吊設具１で、図９はその斜視図、図１０は他態様のレーザ墨出し器８付き吊設具１の斜視図である。
実施形態１〜３は、軸部材５の一端５ｅ側がレーザ墨出し器８を取付ける取着具２に接続一体化したのに対し、本実施形態は一端５ｅ側がレーザ墨出し器８に直接一体化する軸部材５になっている。他の構成は実施形態１〜３と同様で、該軸部材５の他端部５ｆに連結され、且つ少なくとも本体外面６１側に雌ねじ部６５が形成された接続用部材６を具備して、天井ＣＬからの吊りボルト９１又は天井梁９２に、雌ねじ部６５を用いて接続用部材６を取付け、軸部材５を介してレーザ墨出し器８が吊り下げられるようにしたレーザ墨出し器８用吊設具１である。
図９の吊設具１は、軸部材５の一端５ｅ側がレーザ墨出し器８の上面座部８６に設けたねじ穴に螺着結合して接続一体化し、墨出し器８に対し軸部材５を着脱自在とする。また、軸部材５と接続用部材６も螺着連結して取り外し可能にし、コンパクト化でき持ち運びを楽にしている。
図１０は図９に代わる他態様の吊設具１で、図１〜図９の接続用部材６に代えて、その高さを短くした図示ごとくの接続用部材６とする。接続用部材６と軸部材５は溶接固定とし、さらに、軸部材５は雄ねじ部を形成せず、単なる棒状体とする。軸部材５とレーザ墨出し器８との一体化も図９の螺着によらず溶接固定とする。
【００２８】
（５）実施形態５
本実施形態は、図７の吊設具１に、図１１のごとくさらにその下板部分３１の一側寄りに通孔３１ｂ、天板部分３４の一側寄りに貫通孔３４ｂを設け、且つ通孔３１ｂ,貫通孔３４ｂに近い方の立板部分３２に雌ねじ孔３２ａを設けた吊設具１とする。軸部材５の一端５ｅ側たる下端部を通孔３１ｂ,貫通孔３４ｂへ貫通後、雌ねじ孔３２ａにボルト軸を有する留め具ＮＳを螺合させてボルト軸部先端で吊りボルト９１を係止させ、吊りボルト９１に主要部３(吊設具１)を接続する構成になっている。該通孔３１ｂ,貫通孔３４ｂは、吊りボルト９１が長くて、その付け根位置や中間位置に吊設具１を取り付けたい場合に有効になる。留め具ＮＳは図１のような形状の止具４でもよい。さらに、雌ねじ孔３２ａ,留め具ＮＳをなしにして、下板部分３１に貫通した吊りボルト９１の下端にナットＮＴを螺着し、吊りボルト９１に主要部３(取着具２)を取付けてもよい。
図１１はレーザ墨出し器８付き吊設具１が吊りボルト９１に取付けられた状態下、通孔３１ｂ,貫通孔３４ｂが同一鉛直線上にあるが、レーザ墨出し器８が下板部分３１に取付けられることによって、同図で吊りボルト９１の左側の方に重心が移動するので、通孔３１ｂの位置を現時点よりもやや左方側に設けるのがより好適となる。他の構成は実施形態３と同様で、その説明を省く。同一符号は同一又は相当部分を示す。
【００２９】
（６）効果
このように構成した吊設具は、コンクリート下地材で囲まれた部屋などで、クランプで挟着可能な柱部材がなくても、吊りボルト９１を利用して、高い位置での墨出しが簡単にできる。床面近くのある程度の高さまでなら三脚などでも対応できるが、高い位置で且つ柱部材もないとなると、特許文献１のようなホルダーでも、結局、手におえなくなる。
しかるに、図１,図４,図７,図１１の吊設具のごとく、一端５ｅ側がレーザ墨出し器８を取付ける取着具２に接続一体化し、他端側に向けて棒状に突出する軸部材５と、該軸部材５の他端部５ｆに連結され、且つ本体外面５１側に雌ねじ部６５が形成された接続用部材６と、を備えて、天井ＣＬからの吊りボルト９１に、前記雌ねじ部６５を用いて接続用部材６を取付け、軸部材５を介してレーザ墨出し器８が吊り下げられるようにすると、梁や支柱のない部屋の天井ＣＬ近くでも、吊りボルト９１を活用することによって、レーザ墨出し器８による吊りボルト９１の在る天井ＣＬ近くの高い位置での水平出しが可能になる。
図９の吊設具のごとく、一端５ｅ側がレーザ墨出し器８に直接一体化し、他端側に向けて棒状に突出する軸部材５と、該軸部材５の他端部５ｆに連結され、且つ本体外面５１側に雌ねじ部６５が形成された接続用部材６と、を備えて、天井ＣＬからの吊りボルト９１へ雌ねじ部６５を用いて接続用部材６を取付け、軸部材５を介してレーザ墨出し器８が吊り下げられるようにしても、上記と同じように、レーザ墨出し器８による吊りボルト９１の在る天井ＣＬ近くの高い位置での水平出しが可能になる。
また、図６のような吊設具に代えることによって、天井梁９２に、雌ねじ部６５を用いて接続用部材６を取付け、軸部材５を介してレーザ墨出し器８が吊り下げ可能で、天井梁９２を活用することによっても、レーザ墨出し器８による吊りボルト９１の在る天井ＣＬ近くの高い位置での水平出しができる。
【００３０】
図５で、例えば吊りボルト９１に止めナットｔｎ,ハンガーｈａを介して野縁ｂａが取り付けられても、止めナットｔｎの箇所よりも下方に吊りボルト９１の下端部が突出している。この突出し部分を利用して、レーザ墨出し器８付き吊設具１を吊り下げることができる。具体的には、一端５ｅ側がレーザ墨出し器８に直接一体化するか又は該レーザ墨出し器８を取付ける取着具２に接続一体化する軸部材５の他端部５ｆに接続用部材６を連結する。そして、この吊りボルト９１下端部の雄ねじ部分に接続用部材６を螺着接続させて、軸部材５を介してレーザ墨出し器８の吊り下げが可能になる。尚、図５で、吊設具１と野縁ｂａとが交差するように見えるが、紙面垂直方向でズレていて、何ら支障ない。
【００３１】
軸部材５の他端部５ｆに雄ねじ部５５が設けられ、且つ該雄ねじ部５５に螺合する雌ねじ部６５が接続用部材６の本体に貫通形成されて、該雌ねじ部６５の下半部と雄ねじ部５５が螺着すると軸部材５と接続用部材６の連結を確実にでき、また両者の連結取付けや取外しも容易になる。そして、該雄ねじ部５５に螺合する雌ねじ部６５が接続用部材６の本体に貫通形成されると、その下半部を軸部材５と連結させる一方、その上半部の雌ねじ部６５を利用して、接続用部材６を天井ＣＬからの吊りボルト９１に取付けることができ、接続用部材６の小型化,低コスト化を図ることができる。
【００３２】
図２,図４,図７,図１１の吊設具１の場合、吊りボルト９１に接続用部材６を取付けて、吊設状態となる取着具２の主要部３で、水平に配される下板部分３１に通孔３１ａを形成し、該下板部分３１の下方からボルトＢＴを該通孔３１ａに挿通し、さらにレーザ墨出し器８の底部に設けられた雌ねじ部分８５へ螺合させて、該レーザ墨出し器８を該下板部分３１に載置して取着具２へ取付け固定できるようにすると、吊設具１にレーザ墨出し器８を安定固定できる。レーザ墨出し器８にはボルトに螺合する螺子穴が設けられており、これに合わせた通孔３１ａを下板部分３１に設けて対応ボルトＢＴを用意するだけで足りる。レーザ墨出し器８付き吊設具１にする取付け作業も該ボルトＢＴを雌ねじ部分８５に螺着するだけでよい。
【００３３】
また、図１,図４の吊設具１のごとく、吊りボルト９１に接続用部材６を取付けて、吊設状態となる取着具２の主要部３が、下板部分３１を有する側面視コ字形の帯板状主部３ａとすると、側面視コ字形主部３ａのコ字形開口側からレーザ墨出し器８を下板部分３１に簡単に取付け、また取外しできる。この主部３ａと、該主部３ａの上板部分３３上に起立する帯板状の垂直板部分３５と該垂直板部分３５の板面から水平横方向に張り出す板状の水平板部分３７を備える上方部３ｂと、を具備し、且つ該水平板部分３７に透孔３７ａを設けて、該透孔３７ａに軸部材５の一端５ｅ側を挿通させると共に、その挿通部分５ｇが主要部３と係合させた取着具２の止具４で係止されることにより、該軸部材５の一端５ｅ側が該取着具２に一体化されるようにすると、軸部材５はその挿通長を所定範囲で調整して、止具４で係止できるので、取着具２に取付けられたレーザ墨出し器８の高さ調整が可能になる。レーザ墨出し器８による水平出しで、簡便に所望の高さレベルに調整でき、使い勝手に優れる。
【００３４】
さらに、図４の吊設具１のごとく、吊りボルト９１に接続用部材６を取付けて、吊設状態となる取着具２の主要部３が、側面視コ字形フレームの主部３ａと、該主部３ａの上板部分３３の端縁３３１から上方に屈曲させて垂直板部分３５を延在させ、さらに該垂直板部分３５の上端３５１で主部３ａの上板部分３３側へ屈曲させて水平板部分３７を延在させたプレス加工品からなると、溶接作業なしで、一枚ものの帯状板から主要部３を作製できるので、生産性向上,低コスト化が図れる。
【００３５】
また、図７の吊設具１のごとく、吊りボルト９１に接続用部材６を取付けて、吊設状態となる取着具２の主要部３が矩形の枠状体の形状をなすと、図４の吊設具１よりも構造がしっかりとし頑強になるので、吊設具１を軽量化できる。その主要部３の天板部分３４に貫通孔３４ａが形成され、且つ軸部材５の一端５ｅ側の雄ねじ部分５１を、該貫通孔３４ａに貫通させ、さらに該雄ねじ部分５１に螺合する止具４たるナット４ａ,４ｂで該主要部３に接続一体化させてなると、図１,図４の吊設具１のような上方部３ｂをなくすことができ、構造がシンプルになり、コンパクト化,低コスト化につながる。
加えて、図１１の吊設具１のように、下板部分３１の一側寄りに通孔３１ｂ、天板部分３４の一側寄りに貫通孔３４ｂを設けて、軸部材５の一端５ｅ側たる下端部を通孔３１ｂ,貫通孔３４ｂへ貫通させた後、留め具ＮＳで吊りボルト９１を係止させる吊設具１であると、吊りボルト９１が長くても、その付け根位置や中間位置に吊設具１を取り付けたい場合にも対応可能となり、本吊設具１の適用範囲を広げることができる。
【００３６】
尚、本考案においては前記実施形態に示すものに限られず、目的,用途に応じて本考案の範囲で種々変更できる。取着具２,主要部３,上方部３ｂ,止具４,軸部材５,接続用部材６,レーザ墨出し器８,吊りボルト９１等の形状,大きさ,個数,材質等は用途に合わせて適宜選択できる。例えば、適当な長さの既存吊りボルト９１が天井ＣＬになければ、吊設具１を吊すためだけの吊りボルト９１を新たに天井ＣＬに取り付けて、天井ＣＬからの該吊りボルト９１に、雌ねじ部６５を用いて接続用部材６を取付け、軸部材５を介してレーザ墨出し器８が吊り下げられるようにしてもよい。
【符号の説明】
【００３７】
１          吊設具
２          取着具
３          主要部
３１        下板部分
３１ａ      通孔
３３        上板部分
３４        天板部分
３４ａ      貫通孔
３５        垂直板部分
３７        水平板部分
３７ａ      透孔
４          止具
４ａ,４ｂ  ナット
５          軸部材
５１        本体外面
５ｅ        一端
５ｆ        他端部
６          接続用部材
６５        雌ねじ部
８          レーザ墨出し器
９１        吊りボルト
９２        天井梁
【図１】
0003182702.tif 000003
【図２】
0003182702.tif 000004
【図３】
0003182702.tif 000005
【図４】
0003182702.tif 000006
【図５】
0003182702.tif 000007
【図６】
0003182702.tif 000008
【図７】
0003182702.tif 000009
【図８】
0003182702.tif 000010
【図９】
0003182702.tif 000011
【図１０】
0003182702.tif 000012
【図１１】
0003182702.tif 000013